(57)【要約】      （修正有）【課題】何度も使用可能で、且つ、車椅子のタイヤへ着脱容易であり、且つ、製造コストを抑えることを可能とする車椅子のタイヤカバーを提供する。【解決手段】環状とする布状の覆部１１０と、前記覆部１１０の両側に設けられる縁部とからなり、前記縁部に環状のゴムを内包し、前記環状のゴムの最大伸びは、覆部１１０の周長よりも大きいものとし、また自然長は覆部１１０の周長よりも多少小さいものとし、前記覆部１１０に花柄やチェック柄などのデザインを施した車椅子のタイヤカバーとするものである。【選択図】図７
0003113804.tif 000002
【実用新案登録請求の範囲】
【請求項１】
環状とする布状の覆部からなり、前記覆部の両側に環状弾性体を設置することを特徴とする、車椅子のタイヤカバー。
【請求項２】
環状とする布状の覆部と、前記覆部の両側に設けられる縁部とからなり、前記縁部に環状弾性体を内包することを特徴とする、請求項１記載の車椅子のタイヤカバー。
【請求項３】
前記環状弾性体は、環状のゴムとすることを特徴とする、請求項１または２記載の車椅子のタイヤカバー。
【請求項４】
前記覆部は、綿製の布状体とすることを特徴とする、請求項１乃至３のいずれかに記載の車椅子のタイヤカバー。
【請求項５】
前記環状弾性体の最大伸びは、覆部の周長よりも大きいものとし、また自然長は覆部の周長よりも多少小さいものとしたことを特徴とする、請求項１乃至４のいずれかに記載の車椅子のタイヤカバー。
【請求項６】
覆部に花柄やチェック柄などのデザインを施したことを特徴とする、請求項１乃至５のいずれかに記載の車椅子のタイヤカバー。
【請求項７】
環状とする布状の覆部からなり、前記覆部の両側に環状弾性体を設置し、前記覆部には複数の穴部を有し、また、前記覆部の裏面に滑り止め加工を施し、前記環状弾性体の自然長は車椅子のタイヤの周長よりも僅かに小さいものとし、
複数のフックと弾性紐とからなる固定治具により固定することを特徴とする、車椅子のタイヤカバー。
【請求項８】
環状とする布状の覆部と前記覆部の両側に設けられる縁部とからなり、覆部には穴部を４つ有し、前記縁部には環状弾性体を内包し、また、前記覆部の裏面に滑り止め加工を施し、前記環状弾性体の自然長は車椅子のタイヤの周長よりも僅かに小さいものとし、
両端にかぎ状のフックを１つずつ有した２本の弾性紐から構成され、前記弾性紐の中心を互いに接着した固定治具により固定することを特徴とする、車椅子のタイヤカバー。
【請求項９】
前記覆部の両端に結合部を有して、この結合部により前記覆部を環状とすることができることを特徴とする、請求項１乃至８の何れかに記載の車椅子のタイヤカバー。
【考案の詳細な説明】
【技術分野】
【０００１】  本考案は、布状体にて車椅子のタイヤを覆う車椅子のタイヤカバーに関する。
【背景技術】
【０００２】  今日、車椅子は家屋の内外を問わず、いわゆる身体障害者の行動手段として広く用いられており、近年の都市設備のバリアフリー化と合わせて、身体障害者の行動範囲を飛躍的に広げるものである。
ここで日本においては、室内に土足で入る習慣がなく、室内に入る際には玄関で土足を脱ぎ、室内履きなどに履き替えることが行われている。
とすれば、身体障害者が車椅子で屋外を走行した後、屋内に入る場合に、タイヤが汚れたままで入室することとなり、住居の床を汚してしまう問題があった。特に自宅以外の屋内に入室するに際して、他人の住居の床を汚してしまうことから入室を躊躇せざるをえないという問題があった。【０００３】  ここで、車椅子のタイヤを覆うタイヤカバーとして特許文献１に記載されたものがあり、このタイヤカバーは、樹脂や布などからなる帯状物の一方の面に粘着材を塗布したものであり、この粘着面を車椅子のタイヤの接地面に貼り付けることで、他方の面のみが地面と接触し、車椅子のタイヤそのものは地面と接触させないことで、タイヤの汚れから床を保護するものである。
【特許文献１】  特開２００２−１０２２９０号
【考案の開示】
【考案が解決しようとする課題】
【０００４】  前述の粘着材を塗布した帯状物からなる車椅子のタイヤカバーは、使い捨てが原則であり、使用者にとってそのコストが大きな負担となるものであった。また、粘着面をしっかりタイヤに貼着させる必要があり、身体障害者が一人でタイヤカバーをタイヤに装着することが困難であった。
そこで本考案は、何度も使用可能で着脱容易な車椅子のタイヤカバーを提供するものである。
【課題を解決するための手段】
【０００５】  請求項１記載の考案は、環状とする布状の覆部からなり、前記覆部の両側に環状弾性体を設置することを特徴とする。
これにより、屋外の走行により汚れたタイヤの接地面を覆部により覆うことができる。【０００６】  請求項２記載の考案は、環状とする布状の覆部と、前記覆部の両側に設けられる縁部とからなり、前記縁部に環状弾性体を内包することを特徴とする。【０００７】  請求項３記載の考案は、前記環状弾性体を、環状のゴムとすることを特徴とする。【０００８】  請求項４記載の考案は、前記覆部を、綿製の布状体とすることを特徴とする。
これにより、屋外の走行により汚れたタイヤの接地面を覆部により覆うことができる。【０００９】  請求項５記載の考案は、前記環状弾性体の最大伸びを、覆部の周長よりも大きいものとし、また自然長は覆部の周長よりも多少小さいものとしたことを特徴とする。
これにより、タイヤカバーを引き伸ばすことで車椅子のタイヤの周長よりも伸ばすことができ、車椅子のタイヤにひっかかることなく覆い止めることができる。【００１０】  請求項６記載の考案は、覆部に花柄やチェック柄などのデザインを施したことを特徴とする。【００１１】  請求項７記載の考案は、環状とする布状の覆部からなり、前記覆部の両側に環状弾性体を設置し、前記覆部には複数の穴部を有し、また、前記覆部の裏面に滑り止め加工を施し、前記環状弾性体の自然長は車椅子のタイヤの周長よりも僅かに小さいものとし、複数のフックと弾性紐とからなる固定治具により固定することを特徴とする。
これにより、複数のかぎ状のフックを穴部に引っ掛けることで、弾性紐の弾性によりタイヤカバーを車椅子のタイヤにしっかりと固定することができる。【００１２】  請求項８記載の考案は、環状とする布状の覆部と前記覆部の両側に設けられる縁部とからなり、覆部には穴部を４つ有し、前記縁部には環状弾性体を内包し、また、前記覆部の裏面に滑り止め加工を施し、前記環状弾性体の自然長は車椅子のタイヤの周長よりも僅かに小さいものとし、両端にかぎ状のフックを１つずつ有した２本の弾性紐から構成され、前記弾性紐の中心を互いに接着した固定治具により固定することを特徴とする。【００１３】  請求項９記載の考案によれば、前記覆部の両端に結合部を有して、この結合部により前記覆部を環状とすることができることを特徴とする。
【考案の効果】
【００１４】  請求項１記載の考案によれば、室内に車椅子で入室する際に、車椅子のタイヤの汚れにより室内を汚すことなく室内に入室することができる。【００１５】  請求項２記載の考案によれば、設計製造を容易とし、以って製造コストを下げることを可能とする。【００１６】  請求項３記載の考案によれば、より一層設計製造を容易とし、以って製造コストを下げることを可能とする。【００１７】  請求項４記載の考案によれば、製造を容易とし、以って製造コストを下げることを可能とする。【００１８】  請求項５記載の考案によれば、より一層、タイヤカバーを車椅子のタイヤに着脱することを容易とすることができる。【００１９】  請求項６記載の考案によれば、見た目にも楽しくすることができる。【００２０】  請求項７記載の考案によれば、環状弾性体の自然長が車椅子のタイヤの周長よりも僅かに小さいものとすることでタイヤカバーを引き伸ばすことを容易とし、これにより手先の不自由な方でもタイヤカバーを車椅子のタイヤを覆わせることを容易とし、また、固定治具を用いることにより、タイヤカバーを車椅子のタイヤにしっかりと固定することを容易とすることができる。【００２１】  請求項８記載の考案によれば、手先の不自由な方でもタイヤカバーを車椅子のタイヤを覆わせることをより一層容易とし、また、固定治具を用いることにより、タイヤカバーを車椅子のタイヤにしっかりと固定することをより一層容易とすることができる。【００２２】  請求項９記載の考案によれば、車椅子のタイヤの大きさにあわせて結合部の位置を調節することにより、タイヤカバーで車椅子のタイヤを覆うことができるため、タイヤの大きさに合わせて自由にサイズを調節することのできるタイヤカバーを提供することができる。
【考案を実施するための最良の形態】
【００２３】  本考案の実施の形態は、環状とする布状の覆部と、前記覆部の両側に設けられる縁部とからなり、前記縁部に環状のゴムを内包し、前記環状のゴムの最大伸びは、覆部の周長よりも大きいものとし、また自然長は覆部の周長よりも多少小さいものとし、前記覆部にデザインを施した車椅子のタイヤカバーとするものである。
【実施例】
【００２４】  本考案に係るタイヤカバーのカバー本体１００は、図１に示すように、全体として環状を構成する布状体である。
このカバー本体１００は、図２に示すように、綿製の布状体とされる覆部１１０と、この覆部１１０の両側に設けられる袋状の縁部１２０とから構成され、この覆部１１０の周長は車椅子のタイヤの周長よりも多少大きいものとされる。
そして、この縁部１２０に止めゴム１５０が内包され、この止めゴム１５０の最大伸びは、覆部１１０の周長よりも大きいものとし、またその自然長は覆部１１０の周長よりも多少小さいものとする。【００２５】  覆部１１０は、裏面と表面とからなり、裏面は車椅子のタイヤに接する面とされ、表面は床と接する面とされる。
したがって、屋外の走行により汚れたタイヤ面を覆部１１０により覆うことで、汚れの無い表面のみが床に接するものとすることができる。【００２６】  縁部１２０は、カバー本体１００の端部付近の一部を裏面に向かって袋状体を形成するように折り曲げ、この折り曲げたカバー本体１００の最端部と覆部１１０とを糸止めして接合する。ここで、カバー本体１００の折り曲げ部と覆部１１０とを糸止めする際に、周囲全体を糸止めせずにその一部を残すものとする。これにより、後から止めゴム１５０を通すための導通部を確保することができる。
そして、この導通部から、袋状の縁部１２０の空洞に止めゴム１５０を通し、この止めゴム１５０の端部と端部とを結ぶなどして結合して環状弾性体の止めゴム１５０とし、前記導通部において、折り曲げたカバー本体１００の最端部と覆部１１０とを糸止めして接合する。【００２７】  次に、タイヤカバーを車椅子のタイヤに装着する方法について図３と併せて説明する。
本考案に係るタイヤカバーの裏面をタイヤに接するようにして、車椅子のタイヤの４分の３程度に覆被せる。このままではタイヤと地面とが接している面にタイヤカバーを覆被せることができないため、車椅子を前進させ、タイヤカバーに覆われた面を地面と接するようにして、タイヤカバーに覆われていない面に手が届くようにタイヤを回転させる。【００２８】  そして、タイヤカバーを引張り、止めゴム１５０を伸長させてタイヤの周長よりも引き伸ばすことで、タイヤカバーの一方の端部がタイヤカバーを超えることができ、タイヤカバーに覆われていない面にタイヤカバーを覆被せることで、タイヤ全体にタイヤカバーを覆被せることができる。【００２９】  このように、止めゴム１５０の弾性を利用してタイヤカバーをタイヤに覆被せるものとすることで、容易に車椅子のタイヤにタイヤカバーを覆被せることができ、補助者がいなくても身体障害者が一人で車椅子のタイヤにタイヤカバーを装着することができる。
したがって、図４に示すように、屋外の走行により汚れたタイヤの接地面を覆部１１０により覆うことで、室内に車椅子で入室する際に、車椅子のタイヤの汚れにより室内を汚すことなく、気軽に室内に入室することができる。【００３０】  また、図５に示すように、前記覆部１１０には穴部１６０が４つ穿設され、環状弾性体である前記止めゴム１５０の自然長は車椅子のタイヤの周長よりもおよそ３ｃｍから５ｃｍ、若しくは５ｃｍから１０ｃｍほどの間で小さいものとされる。
これにより、タイヤカバーを引き伸ばすことを容易とすることができ、手先の不自由な方でもタイヤカバーを車椅子のタイヤを覆わせることを容易とすることができる。
前記穴部１６０は、覆部１１０の縁部１２０付近に設けられ、２つの穴部１６０が対向するように、２組の穴部１６０を設ける。そして、この穴部１６０にプラスチック製や金属製の環状の補助金具を嵌め込むことで補強する。【００３１】  ここで、タイヤカバー自体の締め付けを緩くしたことからタイヤカバーの脱落するおそれがあるため、タイヤカバーの脱落防止のために固定治具２００により固定する。
この固定治具２００は、図６に示すように、両端にかぎ状のフック２１０を１つずつ有した２本の弾性紐２２０から構成され、前記弾性紐２２０の中心を互いに接着したものであり、図７に示すように、穴部１６０を有する側を車椅子のタイヤの外面側とするように設置し、前記フック２１０を前記穴部１６０に引っ掛けて、弾性紐２２０の弾性によりタイヤカバーをその円の中心方向に引っ張ることで、タイヤカバーを車椅子のタイヤにしっかりと固定することができる。【００３２】  また、図５に示したように、前記覆部１１０の裏面１１３に天然ゴムを塗布して滑り止め加工を施すことで、タイヤカバーの外面側のみが固定治具２００により引っ張られることによリタイヤカバーがずれてしまうことを防ぐことができる。【００３３】  また、覆部は環状ではなく、結合部としての面ファスナーが覆部の一端の表面に設置され、他端の裏面に設置されるものとしてもよく、この両端の面ファスナーを張り合わせることで覆部を環状とすることができる。
したがって、車椅子のタイヤの大きさにあわせて結合部の位置を調節することにより、タイヤカバーで車椅子のタイヤを覆うことができるため、タイヤの大きさに合わせて自由にサイズを調節することのできるタイヤカバーを提供することができる。【００３４】  なお、覆部１１０の表面に、花柄やチェック柄などのデザインを施すことで、見た目に楽しいものとすることができる。
また、カバー本体の材質は、綿にかぎらず、ビニールやゴムなども可能である。
【図面の簡単な説明】
【００３５】
【図１】  本考案に係る車椅子のタイヤカバーの外観図である。
【図２】  本考案に係る車椅子のタイヤカバーの構造を示した平面図である。
【図３】  本考案に係る車椅子のタイヤカバーの装着方法を示した図である。
【図４】  本考案に係る車椅子のタイヤカバーの使用状態を示した図である。
【図５】  本考案に係る車椅子のタイヤカバーの構造を示した平面図である。
【図６】  本考案に係る車椅子のタイヤカバーの固定治具を示した平面図である。
【図７】  本考案に係る車椅子のタイヤカバーに固定地具を装着した状態を示した図である。
【符号の説明】
【００３６】１００    カバー本体部
１１０    覆部
１１３    裏面
１２０    縁部
１５０    止めゴム
１６０    穴部
２００    固定治具
２１０    フック
２２０    弾性紐
【図１】
0003113804.tif 000003
【図２】
0003113804.tif 000004
【図３】
0003113804.tif 000005
【図４】
0003113804.tif 000006
【図５】
0003113804.tif 000007
【図６】
0003113804.tif 000008
【図７】
0003113804.tif 000009